(57)【特許請求の範囲】
【請求項１】
所定の処理を受けた被搬送物のサイズ（被搬送物の幅と送り長さとで観念される被搬送物の大きさ）を認識する手段と、所定の処理を終えて排出口から排出された被搬送物を搬送する搬送部（４１，６１，７１）と、該搬送部（４１，６１，７１）を用いて搬送された前記被搬送物を集積する集積部（４２，４３，５２，６２，６３，７３）とを備え、前記手段により認識される被搬送物のサイズ（被搬送物の幅と送り長さとで観念される被搬送物の大きさ）に応じて前記搬送部（４１，６１，７１）上の前記被搬送物の搬送方向が切替可能であって、前記各搬送方向に対して、それぞれ前記集積部（４２，４３，５２，６２，６３，７３）が設けられている搬送処理手段。
【請求項２】
前記搬送部（４１，６１，７１）が、ベルトコンベア（４１ａ，６１ａ，７１ａ）と、該ベルトコンベア（４１ａ，６１ａ，７１ａ）を駆動させる駆動部とを用いて構成されており、前記駆動部を制御して前記ベルトコンベア（４１ａ，６１ａ，７１ａ）の回転方向を変化させることによって、前記搬送部（４１，６１，７１）上の前記被搬送物の搬送方向を切り替える請求項１に記載の搬送処理手段。
【請求項３】
第一の集積部（４２）は、回転駆動可能に構成された複数のトレイ（４２ａ，…）を用いて構成され、一つのトレイ（４２ａ）に１オーダ分の小判サイズの被搬送物を集積可能であり、第二の集積部（４３）は、大判サイズの被搬送物を集積可能に構成されている請求項２に記載の搬送処理手段。
【請求項４】
第一の集積部（５２）は、ベルトコンベア（５２ａ）を用いて構成され、ベルトコンベア（５２ａ）の同一箇所に１オーダ分の小判サイズの被搬送物を集積可能であり、第二の集積部（４３）は、大判サイズの被搬送物を集積可能に構成されている請求項２に記載の搬送処理手段。
【請求項５】
二つのベルトコンベア（６１ａ，７１ａ）からなり、第一のベルトコンベア（６１ａ）の一方の搬送方向に対して、第二のベルトコンベアが配置され、第一のベルトコンベア（６１ａ）の他方の搬送方向及び第二のベルトコンベア（７１ａ）の各搬送方向に対して、それぞれ集積部（６２，６３，７３）が設けられている請求項２に記載の搬送処理手段。
【請求項６】
前記手段は、複数のセンサを備えて構成されている請求項１から５のいずれか１項に記載の搬送処理手段。
【請求項７】
請求項１から６のいずれか１項に記載の搬送処理手段を用いて、乾燥後の感光材料の搬送および集積を行うことを特徴とする写真処理装置。
【発明の詳細な説明】
【０００１】
【発明の属する技術分野】
本発明は、所定の処理を受けた被搬送物を搬送する搬送処理手段に関するものである。
【０００２】
【従来の技術】
従来技術に係る写真処理装置においては、感光材料（印画紙）がカッタ等により所定の大きさに切断され、その感光材料にネガフィルム上の画像が露光された後に、現像処理ユニットに搬送され、感光材料に対して、現像、漂白、定着、および安定化の各処理（以下、これらの処理を総称して「現像処理」という。）が施される。そして、現像処理された感光材料は、乾燥ユニットに搬送されて、乾燥された後に、感光材料を集積するトレイ等の集積部に適当に保持・集積される。
【０００３】
上記集積部に集積される際には、通常、感光材料のサイズ毎、あるいはオーダ毎等の必要に応じて、適宜振り分けられて集積部上に積み重ねられる。
一般に、オーダの種類としては、フィルムの現像と同時に、フィルムに写されている全てのコマの画像について１枚〜数枚ずつサービスサイズ等にプリントする同時プリントや、フィルム上の特定のコマの画像のみを数枚プリントする焼き増し等がある。また、近年、１３５サイズフィルム（３５ｍｍロールフィルム）やＡＰＳフィルムを用いたカメラでは、１本のフィルムに標準サイズで撮影したコマの他、パノラマサイズやハイビジョンサイズで撮影したコマが含まれている。
【０００４】
集積部上に感光材料（被搬送物）をサイズ毎あるいはオーダ毎に整列させるためには、何らかの搬送部を有した搬送処理手段を用いて、被搬送物（乾燥処理後の感光材料）を集積部にまで搬送させる必要がある。
【０００５】
図５は、従来技術に係る搬送処理手段を用いて構成された写真処理装置の概略斜視図を示したものである。また、図６は、図５の写真処理装置における搬送処理手段およびその近傍の概略斜視図を示したものである。
【０００６】
図５および図６に示された従来技術に係る搬送処理手段は、搬送部１０１と、第一の集積部１０２と、第二の集積部１０３とを用いて構成されている。ここで、搬送部１０１は、一定方向に回転しているベルトコンベア１０１ａ等を用いて構成されている。また、第一の集積部１０２は、複数のトレイ１０２ａ等を用いて構成されている。この複数のトレイ１０２ａは、例えばオーダ毎に矢印ｃ方向に回転するように構成されている。
【０００７】
図５および図６によれば、乾燥処理が終了した感光材料（被搬送物）は、そのサイズに応じて、小判（例えば、その幅が１０２ｍｍ（４インチ）以下）であれば第一の排出口１１１から、また、大判（例えば、その幅が１２７ｍｍ（５インチ）以上）であれば第二の排出口１１３から排出されるように構成されている。
第一の排出口１１１から矢印ａ方向に排出された被搬送物（小判の被搬送物）は、ベルトコンベア１０１ａ等から成る搬送部１０１を介して第一の集積部１０２に搬送され（搬送部１０１上を矢印ｂ方向に搬送され）、第一の集積部１０２を構成するトレイ１０２ａ上に集積される。この際、基本的には、一つのトレイ１０２ａ上には一つのオーダの被搬送物が集積される。そして、次のオーダの被搬送物の集積を行う場合には、第一の集積部１０２（を構成するトレイ１０２ａ）を矢印ｃ方向に回転させ、他のトレイ１０２ａ上に被搬送物の集積が行われる。
また、第二の排出口１１３から矢印ｄ方向に排出された被搬送物（大判の被搬送物）は、この第二の排出口１１３の直下に設けられている第二の集積部１０３上に集積される。
【０００８】
以上のように構成された搬送処理手段を有する写真処理装置であれば、必要に応じて（サイズ毎あるいはオーダ毎に）、被搬送物を振り分けつつ、集積部に適当に集積することが可能となる。
【０００９】
【発明が解決しようとする課題】
しかしながら、上記従来技術に係る搬送処理手段においては、上述したように、被搬送物は、そのサイズに応じて、搬送途中で第一の集積部１０２（第一の排出口１１１）側と第二の集積部１１３（第二の排出口１１３）側とに振り分けられる。
したがって、従来技術に係る搬送処理手段（およびこれを用いて構成される写真処理装置）においては、被搬送物をそのサイズに応じて、第一の排出口１１１と第二の排出口１１３とに振り分けるための機構（図示省略）が必要となるので、搬送処理手段（および写真処理装置）の構造が煩雑化し、その分だけコストも上昇するという問題が生ずる。
【００１０】
そこで、本発明は、上記従来技術の問題点を解決するためになされたものであって、比較的簡単な構成要素（基本的には従来からの構成要素）を用いて、必要に応じて（例えば、そのサイズに応じて）、被搬送物の振り分けが可能である搬送処理手段を提供し、また、この搬送処理手段を用いて、比較的構造が簡単な写真処理装置を提供することを課題とする。
【００１１】
【課題を解決するための手段】
すなわち、上記課題を解決するための本発明に係る搬送処理手段は、所定の処理を受けた被搬送物のサイズ（被搬送物の幅と送り長さとで観念される被搬送物の大きさ）を認識する手段と、所定の処理を終えて排出口から排出された被搬送物を搬送する搬送部４１，６１，７１と、該搬送部４１，６１，７１を用いて搬送された前記被搬送物を集積する集積部４２，４３，５２，６２，６３，７３とを備え、前記手段により認識される被搬送物のサイズ（被搬送物の幅と送り長さとで観念される被搬送物の大きさ）に応じて前記搬送部４１，６１，７１上の前記被搬送物の搬送方向が切替可能であって、前記各搬送方向に対して、それぞれ前記集積部４２，４３，５２，６２，６３，７３が設けられていることを特徴としている。
【００１２】
本発明に係る搬送処理手段によれば、前記被搬送物を複数の集積部４２，４３，５２，６２，６３，７３に振り分ける場合であっても、前記被搬送物を排出する排出口をその集積部の数だけ設ける必要はなく、前記搬送部４１，６１，７１の搬送方向を切り替えることによって、前記被搬送物を所定の集積部に集積することが可能となる。したがって、本発明によれば、排出口、およびそれに関する振り分け機構等の構成を従来よりも削減することが可能となるので、比較的簡単な構成を有する搬送処理手段を得ることができる。
【００１３】
また、本発明に係る搬送処理手段においては、前記搬送部４１，６１，７１が、ベルトコンベア４１ａ，６１ａ，７１ａと、該ベルトコンベア４１ａ，６１ａ，７１ａを駆動させる駆動部とを用いて構成されており、前記駆動部を制御して前記ベルトコンベア４１ａ，６１ａ，７１ａの回転方向を変化させることによって、前記搬送部４１，６１，７１上の前記被搬送物の搬送方向を切り替える構成であることが好ましい。
【００１４】
この好ましい例によれば、上述した搬送処理手段を効果的に構成することが可能となる。具体的には、前記被搬送物の大きさ等を認識するために従来から設けられているセンサ等からの信号を用いて（被搬送物の大きさ等を判断して）、前記ベルトコンベア４１ａ，６１ａ，７１ａを駆動させる駆動手段に供給される電源のプラス／マイナスを反転させることによって、前記ベルトコンベア４１ａ，６１ａ，７１ａを制御し、前記搬送部４１，６１，７１上の被搬送物の搬送方向を切り替えている。すなわち、特に、新たな振り分け機構等を用いることなく、前記被搬送物の振り分けを可能としている。
したがって、本発明によれば、比較的簡単な構成要素（基本的には従来からの構成要素）を用いて、必要に応じて（例えば、そのサイズに応じて）、前記被搬送物の振り分けが可能である搬送処理手段を得ることができる。
【００１５】
また、本発明に係る搬送処理手段においては、第一の集積部４２は、回転駆動可能に構成された複数のトレイ４２ａ，…を用いて構成され、一つのトレイ４２ａに１オーダ分の小判サイズの被搬送物を集積可能であり、第二の集積部４３は、大判サイズの被搬送物を集積可能な構成を採用することができる。また、第一の集積部５２は、ベルトコンベア５２ａを用いて構成され、ベルトコンベア５２ａの同一箇所に１オーダ分の小判サイズの被搬送物を集積可能であり、第二の集積部４３は、大判サイズの被搬送物を集積可能な構成を採用することができる。また、二つのベルトコンベア６１ａ，７１ａからなり、第一のベルトコンベア６１ａの一方の搬送方向に対して、第二のベルトコンベアが配置され、第一のベルトコンベア６１ａの他方の搬送方向及び第二のベルトコンベア７１ａの各搬送方向に対して、それぞれ集積部６２，６３，７３が設けられている構成を採用することができる。さらに、前記手段は、複数のセンサを備えて構成されている構成を採用することができる。
【００１６】
さらに、上記課題を解決するための本発明に係る写真処理装置は、上述した構成のいずれかの搬送処理手段を用いて、乾燥後の感光材料の搬送および集積を行うことを特徴としている。
【００１７】
本発明によれば、被搬送物（写真）の振り分け搬送を比較的簡単な構造で実現可能である写真処理装置を得ることができる。
【００１８】
【発明の実施の形態】
以下、図面に基づいて、本発明の実施の形態を説明する。
【００１９】
図１は、本発明の実施形態に係る搬送処理手段を用いて構成された写真処理装置の全体概略図を示したものである。図１に示すように、本実施形態に係る写真処理装置は、焼付露光部１０と現像処理部３０とから構成されている。
【００２０】
焼付露光部１０は、感光材料Ｐをロールにして収容したマガジン１１（第一のマガジン１１ａ、第二のマガジン１１ｂ）と、各マガジン１１ａ，１１ｂから供給されるいずれかの感光材料Ｐを選択する選択部１２と、感光材料Ｐを所定長さに切断するカッタ１３と、切断された感光材料Ｐに対して露光を行う露光部１４等から構成されている。露光部１４上には、側面視逆台形状にローラが配され、吸着ベルト１５が巻回されている。露光部１４においては、この吸着ベルト１５が無端回動することによって感光材料Ｐが露光ステージ１６まで送られた後に、光源部１７から照射される光でミラートンネル１８、レンズユニット１９等を介して、フィルムキャリア２０に保持されたネガフィルムＦの画像が感光材料Ｐに焼付露光される。
【００２１】
続いて、焼付露光部１０で焼付露光が行われた感光材料Ｐは、複数の送りローラ、駆動ローラ等を介して、次工程である現像処理部３０に送られる。現像処理部３０は、発色液、定着液、安定化液等の現像処理に必要な処理液を蓄えた複数の処理タンク３１，…、乾燥部３２、排出部３３等から構成されている。露光が行われた感光材料Ｐは、複数の処理タンク３１，…の処理液内に順次浸漬されながら搬送されることによって、現像処理が行われる。現像処理を終えた感光材料Ｐは、乾燥部３２に導かれ、乾燥処理を終えた後に排出部３３から排出され、写真として仕上がる。
【００２２】
そして、排出部３３から排出された写真（被搬送物）は、搬送処理手段４０を用いて、必要に応じて振り分けて搬送され、集積される。
【００２３】
図２は、図１に示された写真処理装置を構成している搬送処理手段およびその近傍の概略斜視図を示したものである。
【００２４】
図２において、搬送処理手段４０は、搬送部４１と、第一の集積部４２と、第二の集積部４３とを用いて構成されている。搬送部４１は、ベルトコンベア４１ａと、このベルトコンベア４１ａを駆動させる駆動手段（図示省略）とを用いて構成され、第一の集積部４２は、回転駆動可能に構成された複数のトレイ４２ａ，…等を用いて構成されている。ここで、第一の集積部４２を構成するトレイ４２ａは、その幅が１０２ｍｍ（４インチ）以下の小判サイズの被搬送物を集積可能である大きさに形成されており、また、第二の集積部４３は、その幅が１２７ｍｍ（５インチ）以上、２１０ｍｍ（８．２５インチ）以下の大判サイズの被搬送物を集積可能である大きさに形成されている。
【００２５】
次に、以上のように構成された搬送処理手段４０等の作動状態について説明する。
【００２６】
図１および図２に示された搬送処理手段４０を有する写真処理装置によれば、被搬送物（写真）は、乾燥された後に、排出部３３の排出口３３ａから矢印Ａの方向に（搬送部４１上に）排出される。この排出の際には、写真処理装置内の各箇所に設けられた複数のセンサ（図示省略）によって、排出口３３ａから排出される被搬送物の大きさが検知されている。すなわち、被搬送物が排出口３３ａから排出される際には、その被搬送物が、小判サイズであるか、あるいは大判サイズであるかが明確に判断されている。
【００２７】
搬送部４１に排出された被搬送物は、そのサイズが小判サイズであるときは、第一の集積部４２に搬送され、大判サイズであるときは、第二の集積部４３に搬送される。具体的には、排出口３３ａから排出される被搬送物の大きさに関する信号がベルトコンベア４１ａを駆動させる駆動手段（図示省略）に送られ、被搬送物が小判サイズである場合には、ベルトコンベア４１ａを矢印Ｂ方向に回転させるように駆動手段を駆動させ、搬送部４１上の被搬送物を第一の集積部４２に（矢印Ｂの方向に）搬送させる。そして、被搬送物が大判サイズである場合には、ベルトコンベア４１ａを矢印Ｃ方向に回転させるように駆動手段を駆動させ、搬送部４１上の被搬送物を第二の集積部４３に（矢印Ｃの方向に）搬送させる。この際、ベルトコンベア４１ａの回転方向を切り替えるためには、駆動手段に供給される電源のプラス／マイナスを反転させるのみでよい。
【００２８】
第一の集積部４２を構成するトレイ４２ａには、基本的に、小判サイズの被搬送物（写真）が１オーダ分集積される。したがって、一つのトレイ４２ａに１オーダ分の小判サイズの被搬送物が集積された後には、それぞれのトレイ４２ａは矢印Ｄ方向に移動（回転）し、次オーダ分の被搬送物については、次のトレイ４２ａに集積される。ただし、１オーダ分の被搬送物の集積枚数が所定値（例えば５０枚）を超える場合には、１オーダ分の被搬送物を二つ以上のトレイ４２ａに分けて集積してもよい。
【００２９】
第二の集積部４３には、上述したように、大判サイズの被搬送物（写真）が集積される。
本実施形態においては、図２に示すように、この大判サイズ用の第二の集積部４３を一つの大型のストック箱を用いて構成する場合について説明したが、本発明はこの構成に限定されるものではない。したがって、例えば、第一の集積部４２と同様に、複数の（大型の）トレイを用いて構成してもよい。
【００３０】
以上説明したように、本実施形態においては、必要に応じて、搬送処理手段４０を構成するベルトコンベア４１ａの回転方向を切り替えることによって、被搬送物を二方向に搬送することができる。
【００３１】
したがって、本実施形態によれば、被搬送物を二方向（二つの集積部）に振り分ける場合であっても、被搬送物を排出する排出口を二つ設けずに、排出口（排出口３３ａ）を一つだけ設けて、従来から設けられているベルトコンベア４１ａの回転方向を切り替えることのみで、被搬送物の振り分けを実現可能としている。
また、上記したように、排出口が一つで足りるため、従来必要であった乾燥後に被搬送物を（二つの排出口に）振り分けていた振り分け機構も不必要となる。本実施形態においては、被搬送物の大きさ等を認識するために従来から設けられているセンサ等からの信号を用いて（被搬送物の大きさ等を判断して）、ベルトコンベア４１ａを駆動させる駆動手段に供給される電源のプラス／マイナスを反転させ、ベルトコンベア４１ａを制御しているので、特に、新たな振り分け機構等は必要としない。
【００３２】
よって、本実施形態に係る搬送処理手段によれば、比較的簡単な構成要素（基本的には従来からの構成要素）を用いて、必要に応じて（例えば、そのサイズに応じて）、被搬送物の振り分けが可能である搬送処理手段を得ることが可能となり、また、この搬送処理手段を用いることによって、比較的構造が簡単な写真処理装置を得ることができる。したがって、構造の煩雑化に伴うコストアップを抑えることが可能となる。
【００３３】
なお、本実施形態においては、被搬送物の幅が１０２ｍｍ（４インチ）以下の場合を小判サイズとし、被搬送物の幅が１２７ｍｍ（５インチ）以上の場合を大判サイズとして、適宜振り分け搬送する構成について説明したが、本発明は、この構成に限定されるものではなく、小判、大判のしきい値を別の値としてもよい。したがって、例えば、被搬送物の幅が１２７ｍｍ（５インチ）以下のサイズを小判サイズとし、そのサイズより大きいものを大判サイズとして、適宜振り分け搬送してもよい。
【００３４】
また、以上の実施形態においては、被搬送物（乾燥後の感光材料）のサイズに応じて、搬送部（ベルトコンベア）の搬送方向（回転方向）を切り替える構成について説明したが、本発明はこれに限定されるものではない。したがって、例えば、各オーダ毎に、搬送部の搬送方向を切り替える構成であってもよい。
【００３５】
さらに、以上の実施形態においては、図２に示すように、第一の集積部４２が複数のトレイ４２ａから成るいわゆる「縦方向回転トレイ」である場合について説明したが、本発明は、この構成に限定されるものではない。したがって、例えば搬送処理手段の他の実施形態として、図３に示すように、「縦方向回転トレイ」の代わりに、第一の集積部が「ベルトコンベア」等を用いて構成されていてもよい。
【００３６】
図３によれば、ベルトコンベア５２ａを用いて第一の集積部５２が構成されており、排出口３３ａから搬送部４１に（矢印Ａの方向に）排出された被搬送物が小判サイズであるときには、ベルトコンベア４１ａを矢印Ｂ方向に回転させるように駆動手段を駆動させて、搬送部４１上の被搬送物を第一の集積部５２に（矢印Ｂの方向に）搬送させる。そして、排出口３３ａから搬送部４１に（矢印Ａの方向に）排出された被搬送物が大判サイズであるときには、ベルトコンベア４１ａを矢印Ｃ方向に回転させるように駆動手段を駆動させて、搬送部４１上の被搬送物を第二の集積部４３に（矢印Ｃの方向に）搬送させる。
【００３７】
第一の集積部５２のベルトコンベア５２ａ上の所定箇所には、基本的に、小判サイズの被搬送物が１オーダ分集積される。そして、第一の集積部５２の所定箇所に１オーダ分の小判サイズの被搬送物が集積された後には、ベルトコンベア５２ａを矢印Ｅの方向に所定の距離だけ回転（移動）させ、次オーダ分の被搬送物については、ベルトコンベア５２ａ上の次の所定箇所に集積される。また、先に説明した場合と同様に、１オーダ分の被搬送物の集積枚数が所定値（例えば５０枚）を超える場合には、１オーダ分の被搬送物を二つ以上の所定箇所に分けて集積してもよい。
【００３８】
また、他の実施形態としては、第二の集積部についても、図３に示した第一の集積部５２と同様に、ベルトコンベア等を用いて構成してもよい。
【００３９】
さらに、以上の実施形態においては、搬送処理手段４０が、搬送方向の切替が可能である搬送部４１を一つ設けた場合（２方向（２箇所の集積部）の切替を行う場合）について説明したが、本発明はこの構成に限定されるものではなく、搬送方向が切替可能に構成された搬送部を複数設けて、３箇所以上の集積部に対する切替が可能である搬送処理手段としてもよい。したがって、例えば、搬送処理手段の他の実施形態として、図４に示すように、搬送方向が切替可能に構成された搬送部を二つ設けて、３箇所の集積部の切替が可能である搬送処理手段としてもよい。
【００４０】
図４に示された搬送処理手段は、搬送方向が切替可能である第一の搬送部６１および第二の搬送部７１と、被搬送物の集積部たる第一の集積部６２、第二の集積部６３、および第三の集積部７３とを用いて構成されている。そして、この搬送処理手段によれば、排出口３３ａから排出された被搬送物のサイズあるいはオーダ等に応じて、第一の搬送部６１を構成するベルトコンベア６１ａの回転方向を矢印ＣあるいはＢ方向に切り替え、また、第二の搬送部７１を構成するベルトコンベア７１ａの回転方向を矢印ＦあるいはＧ方向に切り替えて、第一から第三の集積部６２，６３，７３のいずれかを選択し、適当な集積部に集積する。
このような構成によれば、複数の排出口を設けることなく、また排出口が一つであることによって振り分け機構等をも設けることなく、必要に応じて、被搬送物を複数箇所（本実施形態においては３箇所）に振り分けて集積することが可能となる。
【００４１】
また、本実施形態においては、各搬送方向先に設けられる各集積部が互いに同一構造のものであってもよいことは言うまでもない。したがって、例えば、図２に示した実施形態において、第一の集積部４２（あるいは第二の集積部４３）が、搬送部４１の両側に各々設けられる構造であってもよい。
【００４２】
さらに、以上の説明においては、実施形態に係る搬送処理手段を、乾燥後の感光材料（写真）を搬送するために用いる場合、すなわち、本発明に係る搬送処理手段を写真処理装置に適用する場合について説明したが、本発明は、この構成に限定されるものではない。したがって、例えば、本発明に係る搬送処理手段を、複写機等の他の処理装置に適用してもよい。
【００４３】
【発明の効果】
以上説明したように、本発明によれば、比較的簡単な構成要素（基本的には従来からの構成要素）を用いて、必要に応じて（例えば、そのサイズに応じて）、被搬送物の振り分けが可能である搬送処理手段を得ることが可能となり、また、この搬送処理手段を用いて、比較的構造が簡単な写真処理装置を得ることができる。
【図面の簡単な説明】
【図１】本発明の実施形態に係る搬送処理手段を用いて構成された写真処理装置の全体概略図
【図２】本発明の実施形態に係る搬送処理手段およびその近傍の概略斜視図
【図３】本発明の他の実施形態に係る搬送処理手段およびその近傍の概略斜視図
【図４】本発明の他の実施形態に係る搬送処理手段およびその近傍の概略斜視図
【図５】従来技術に係る搬送処理手段を用いて構成された写真処理装置の概略斜視図
【図６】図５に示された搬送処理手段およびその近傍の概略斜視図
【符号の説明】
４１    搬送部
４１ａ，６１ａ，７１ａ    ベルトコンベア
４２，５２，６２    第一の集積部
４３，６３    第二の集積部
６１    第一の搬送部
７１    第二の搬送部
７３    第三の集積部
【図１】
0003862127.tif 000002
【図２】
0003862127.tif 000003
【図３】
0003862127.tif 000004
【図４】
0003862127.tif 000005
【図５】
0003862127.tif 000006
【図６】
0003862127.tif 000007